(57)【要約】【課題】モバイルボイスオーバーインターネットプロトコル（ｍＶｏＩＰ）を用いたグループ通話サービスにおいてユーザがグループ通話へ参加する際の利便性を向上させる。【要約】モバイルボイスオーバーインターネットプロトコルを用いてグループ通話サービスを提供するアプリケーションの動作方法が開示される。一実施形態はグループ通話のための要求信号を受信して、当該グループ通話に参加したか否かに関わらずグループ通話に対応するグループ通話チャットルームのメタ情報をサーバから受信してもよい。ここで、メタ情報は少なくともグループ通話チャットルームのメンバーそれぞれのグループ通話接続状態を含んでもよい。
2015536607.tif 000002
【特許請求の範囲】
【請求項１】
モバイルボイスオーバーインターネットプロトコル（ｍＶｏＩＰ）を用いてグループ通話サービスを提供するアプリケーションの動作方法において、
グループ通話のための要求信号を受信するステップと、
前記グループ通話に参加したか否かに関わらず、前記グループ通話に対応するグループ通話チャットルームのメタ情報をサーバから受信するステップと、
を含み、
前記メタ情報は、少なくとも前記グループ通話チャットルームのメンバーそれぞれのグループ通話接続状態を含む、アプリケーションの動作方法。
【請求項２】
前記要求信号の受信に応答して前記グループ通話にいま参加するかの有無、又は前記グループ通話に後で参加するかの有無が入力されるインタフェースを提供するステップと、
前記グループ通話にいま参加するとの入力を受信することで、前記グループ通話チャットルームに自動入場するステップと、
前記グループ通話に後で参加するとの入力を受信することで、前記グループ通話チャットルームに自動入場する必要なく、後で前記グループ通話チャットルームに入場する場合、前記要求信号を再受信する必要なく、前記グループ通話に参加できるインタフェースを提供するステップと、
前記グループ通話チャットルームで提供されるインジケータを用いて、前記グループ通話接続状態を含む前記グループ通話に関する情報を提供するステップと、
を含む、請求項１に記載のアプリケーションの動作方法。
【請求項３】
前記要求信号は、要求発信者情報と要求受信者情報を含み、前記要求発信者情報は１人の要求発信者に関する情報を含み、前記要求受信者情報は少なくとも２人の要求受信者に関する情報を含む、請求項１に記載のアプリケーションの動作方法。
【請求項４】
前記グループ通話接続状態は、接続中状態、接続状態、終了状態、及び接続不可能状態を含み、前記サーバは、予め決定した時間の間に前記接続中状態が持続すれば、前記グループ通話接続状態を前記終了状態に変更する、請求項１に記載のアプリケーションの動作方法。
【請求項５】
前記グループ通話に関する情報は、前記メンバーそれぞれのプロフィール写真をさらに含み、
前記グループ通話に関する情報を提供するステップは、前記グループ通話接続状態に応じて前記プロフィール写真の薄暗さを調整するステップを含む、請求項２に記載のアプリケーションの動作方法。
【請求項６】
前記メタ情報は、前記グループ通話に参加した参加時間、前記グループ通話のためのネットワーク接続状態、または、前記グループ通話を要求したメンバーの少なくともいずれか１つをさらに含む、請求項１に記載のアプリケーションの動作方法。
【請求項７】
前記グループ通話チャットルームで提供されるインジケータを用いて音声変調機能、音消去機能、または、スピーカフォン機能の少なくともいずれか１つを活性化するインタフェース、前記グループ通話を終了するインタフェース、または、前記インジケータを折り畳むか開くインタフェースの少なくともいずれか１つを提供するステップと、
前記グループ通話に参加する間に前記アプリケーションをバックグラウンドモードで実行されるようにする入力を受信することで、前記バックグラウンドモードに関するインジケータに前記グループ通話に参加中である情報を提供するステップと、
の少なくとも１つをさらに含む、請求項１に記載のアプリケーションの動作方法。
【請求項８】
前記グループ通話を終了する入力を受信することで、前記グループ通話を終了するステップと、
前記インジケータを用いて、前記グループ通話に関する情報及び前記要求信号を再受信する必要なく、前記グループ通話に参加できるインタフェースを提供するステップと、
をさらに含む、請求項７に記載のアプリケーションの動作方法。
【請求項９】
前記サーバから前記グループ通話の終了信号を受信するステップと、
前記終了信号の受信に応答して、前記グループ通話チャットルームで提供されるグループ通話関連機能を不活性化させるステップと、
をさらに含み、
前記サーバは、前記グループ通話に参加中であるメンバー数に基づいて前記グループ通話の終了信号を送信する、請求項１に記載のアプリケーションの動作方法。
【請求項１０】
前記要求信号の受信に応答して、前記要求信号の確認有無が入力されるインタフェースを提供するステップと、
前記要求信号を確認するとの入力を受信することで、前記グループ通話チャットルームに入場するステップと、
前記グループ通話チャットルームで提供されるインジケータを用いて、前記グループ通話接続状態を含む前記グループ通話に関する情報を提供するステップと、
前記インジケータを用いて、前記グループ通話にいま参加するかの有無が入力されるインタフェースを提供するステップと、
前記グループ通話に後で参加するとの入力を受信することで、前記要求信号を再受信する必要なく、前記グループ通話に参加できるインタフェースを提供するステップと、
をさらに含む、請求項１に記載のアプリケーションの動作方法。
【請求項１１】
モバイルボイスオーバーインターネットプロトコル（ｍＶｏＩＰ）を用いて、グループ通話サービスを提供するアプリケーションの動作方法において、
グループチャットルームのメンバーを対象にグループ通話のための要求信号を送信するインタフェースを提供するステップと、
前記要求信号を送信する入力を受信することで、前記メンバーのうち前記グループ通話が可能なグループ通話メンバーを判断するステップと、
前記メンバーと前記グループ通話メンバーが一致しない場合、前記グループ通話メンバーを含む新しいグループ通話チャットルームを開設するステップと、
前記新しいグループ通話チャットルームで前記要求信号を送信するステップと、
を含む、アプリケーションの動作方法。
【請求項１２】
前記判断するステップは、前記メンバーそれぞれのアプリケーションバージョン又は前記メンバーそれぞれのグループ通話許容の有無の少なくともいずれか１つに基づいて、前記グループ通話メンバーを選別するステップを含む、請求項１１に記載のアプリケーションの動作方法。
【請求項１３】
前記グループ通話メンバー数に基づいて予め決定した警告フレーズを提供するステップをさらに含み、
前記予め決定した警告フレーズは、
前記グループ通話メンバー数が予め決定した最大閾値を超過するか、予め決定した最小閾値未満である場合、前記要求信号を送信できないという警告フレーズと、
前記グループ通話メンバー数が前記予め決定した最小閾値以上であり、前記予め決定した最大閾値以下であり、前記メンバー数と一致しない場合、前記新しいグループ通話チャットルームを開設するか否かを確認する警告フレーズと、
前記グループ通話メンバー数が２人である場合、新しい一対一通話チャットルームを開設するか否かを確認する警告フレーズと、
の少なくともいずれか１つを含む、請求項１１に記載のアプリケーションの動作方法。
【請求項１４】
前記予め決定した警告フレーズは、前記メンバーのうち前記グループ通話が不可能なメンバーのリストと前記グループ通話が不可能なメンバーそれぞれのグループ通話不可能理由を含む、請求項１３に記載のアプリケーションの動作方法。
【請求項１５】
前記新しい一対一通話チャットルームを開設するという確認に応じて、前記２人のグループ通話メンバーを含む前記新しい一対一通話チャットルームを開設するステップと、
前記新しい一対一通話チャットルームで一対一通話のための要求信号を送信するステップと、
をさらに含む、請求項１３に記載のアプリケーションの動作方法。
【請求項１６】
請求項１〜請求項１５のいずれか１項の方法を実行させるためのプログラムが記録されたコンピュータ読み出し可能な記録媒体。
【請求項１７】
モバイルボイスオーバーインターネットプロトコル（ｍＶｏＩＰ）を用いてグループ通話サービスを提供する移動端末において、
グループ通話のための要求信号を受信する要求信号受信部と、
前記グループ通話に参加したか否かに関わらず、前記グループ通話に対応するグループ通話チャットルームのメタ情報をサーバから受信するメタ情報受信部と、
を含む受信部を含み、
前記メタ情報は、少なくとも前記グループ通話チャットルームのメンバーそれぞれのグループ通話接続状態を含む、移動端末。
【請求項１８】
制御部及びインタフェース部をさらに含み、
前記制御部は、
前記要求信号の受信に応答して前記グループ通話にいま参加するかの有無又は、前記グループ通話に後で参加するかの有無が入力されるインタフェースを提供するように前記インタフェース部を制御し、
前記インタフェース部を介して前記グループ通話にいま参加するとの入力を受信することで、前記グループ通話チャットルームに自動入場し、
前記インタフェース部を介して前記グループ通話に後で参加するとの入力を受信することで、前記グループ通話チャットルームに自動入場せず、後で前記グループ通話チャットルームに入場する場合、前記要求信号を再受信する必要なく、前記グループ通話に参加できるインタフェースを提供するように前記インタフェース部を制御し、
前記グループ通話接続状態を含む前記グループ通話に関する情報を含むインジケータを提供するように前記インタフェース部を制御する、請求項１７に記載の移動端末。
【発明の詳細な説明】
【技術分野】
【０００１】
以下の実施形態は、モバイルボイスオーバーインターネットプロトコル（ｍＶｏＩＰ）を用いてグループ通話サービスを提供するアプリケーションの動作方法に関する。
【背景技術】
【０００２】
近年、携帯インターネット（例えば、ワイブロ、モバイルワイマックス、３ＧＰＰ  ＬＴＥ、４Ｇ  ＬＴＥなど）とＩＭＳ（IP Multimedia Subsystem）網の連動を用いてモバイルボイスオーバーインターネットプロトコル（Mobile Voice over IP；ｍＶｏＩＰ）ネットワークを構築し、携帯インターネット加入者に付加サービスとしてｍＶｏＩＰ基盤の通話サービス（例えば、音声通話サービス、映像通話サービスなど）を提供するための技術が開発されている。
【０００３】
ｍＶｏＩＰは、携帯インターネット網のデータサービスを用いて、音声電話レベルのボイスオーバーインターネットプロトコル（Voice over IP；ＶｏＩＰ）サービスを提供する技術である。ＶｏＩＰサービスは、移動性の程度により固定ＶｏＩＰサービスとｍＶｏＩＰサービスとに分類されてもよい。すなわち、移動通信網のような携帯インターネット基盤のＶｏＩＰサービスは、ｍＶｏＩＰサービスに分類されてもよい。
【０００４】
一方、インスタントメッセージサービスは、インターネットのようなネットワークを用いた、２人以上のリアルタイムのテキスト通信をサポートするサービスである。インスタントメッセンジャーは、リアルタイムメッセージを中継するクライアントである。インスタントメッセージサービスは、リアルタイムで対話される点で電子メールサービスとは異なる。対話する人々が互いに一ラインずつ入力するたびに送信が行われ、したがって、これは手紙を交換するというよりも電話対話するものと類似である。
【０００５】
また、グループ通話サービスは、３人以上の参加者の音声通話を一度に可能にするサービスとして、例えば、コンファレンスコール（conference call）などを含んでもよい。
【発明の概要】
【課題を解決するための手段】
【０００６】
一実施形態に係るモバイルボイスオーバーインターネットプロトコル（ｍＶｏＩＰ）を用いてグループ通話サービスを提供するアプリケーションの動作方法は、グループ通話のための要求信号を受信するステップと、前記グループ通話に参加したか否かに関わらず、前記グループ通話に対応するグループ通話チャットルームのメタ情報をサーバから受信するステップとを含み、前記メタ情報は、少なくとも前記グループ通話チャットルームのメンバーそれぞれのグループ通話接続状態を含む。
【０００７】
ここで、前記アプリケーションの動作方法は、前記要求信号の受信に応答して前記グループ通話にいま参加するかの有無、又は前記グループ通話に後で参加するかの有無が入力されるインタフェースを提供するステップと、前記グループ通話にいま参加するとの入力を受信することで、前記グループ通話チャットルームに自動入場するステップと、前記グループ通話チャットルームで提供されるインジケータを用いて、前記グループ通話に関する情報（前記グループ通話に関する情報は、前記グループ通話接続状態を含む）を提供するステップとをさらに含んでもよい。
【０００８】
また、前記アプリケーションの動作方法は、前記グループ通話に後で参加するとの入力を受信することで、前記グループ通話チャットルームに自動入場しないステップと、後で前記グループ通話チャットルームに入場する場合、前記要求信号を再受信する必要なく、前記グループ通話に参加できるインタフェースを提供するステップとをさらに含んでもよい。
【０００９】
また、前記要求信号は、要求発信者情報と要求受信者情報を含み、前記要求発信者情報は１人の要求発信者に関する情報を含み、前記要求受信者情報は少なくとも２人の要求受信者に関する情報を含んでもよい。
【００１０】
また、前記グループ通話接続状態は、接続中状態、接続状態、終了状態、及び接続不可能状態を含み、前記サーバは、予め決定した時間の間に前記接続中状態が持続すれば、前記グループ通話接続状態を前記終了状態に変更してもよい。
【００１１】
また、前記グループ通話に関する情報は、前記メンバーそれぞれのプロフィール写真をさらに含み、前記グループ通話に関する情報を提供するステップは、前記グループ通話接続状態に応じて前記プロフィール写真の薄暗さを調整するステップを含んでもよい。
【００１２】
また、前記メタ情報は、前記グループ通話に参加した参加時間、前記グループ通話のためのネットワーク接続状態、または、前記グループ通話を要求したメンバーの少なくともいずれか１つをさらに含んでもよい。
【００１３】
また、前記アプリケーションの動作方法は、前記グループ通話チャットルームで提供されるインジケータを用いて音声変調機能、音消去機能、または、スピーカフォン機能の少なくともいずれか１つを活性化するインタフェース、前記グループ通話を終了するインタフェース、または、前記インジケータを折り畳むか開くインタフェースの少なくともいずれか１つを提供するステップをさらに含んでもよい。
【００１４】
また、前記アプリケーションの動作方法は、前記グループ通話を終了する入力を受信することで、前記グループ通話を終了するステップと、前記インジケータを用いて、前記グループ通話に関する情報及び前記要求信号を再受信する必要なく、前記グループ通話に参加できるインタフェースを提供するステップとをさらに含んでもよい。
【００１５】
また、前記グループ通話を終了するステップは、前記グループ通話の終了に関する予め決定されたメッセージを前記グループ通話チャットルームに入力するステップを含んでもよい。
【００１６】
また、前記アプリケーションの動作方法は、前記サーバから前記グループ通話の終了信号を受信するステップと、前記終了信号の受信に応答して、前記グループ通話チャットルームで提供されるグループ通話関連機能を不活性化させるステップとをさらに含み、前記サーバは、前記グループ通話に参加中であるメンバー数に基づいて前記グループ通話の終了信号を送信してもよい。
【００１７】
また、前記アプリケーションの動作方法は、前記グループ通話チャットルームがチャットルームリストにすでに含まれているかの有無を判断するステップと、前記グループ通話チャットルームがチャットルームリストに含まれていないものと判断に応じて、前記グループ通話チャットルームを前記チャットルームリストに追加するステップをさらに含んでもよい。
【００１８】
また、前記アプリケーションの動作方法は、前記要求信号の受信に応答して、前記要求信号の確認有無が入力されるインタフェースを提供するステップと、前記要求信号を確認するとの入力を受信することで、前記グループ通話チャットルームに入場するステップと、前記グループ通話チャットルームで提供されるインジケータを用いて、前記グループ通話に関する情報（前記グループ通話に関する情報は、前記グループ通話接続状態を含む）を提供するステップと、前記インジケータを用いて、前記グループ通話にいま参加するかの有無が入力されるインタフェースを提供するステップと、前記グループ通話に後で参加するとの入力を受信することで、前記要求信号を再受信する必要なく、前記グループ通話に参加できるインタフェースを提供するステップとをさらに含んでもよい。
【００１９】
また、前記アプリケーションの動作方法は、前記グループ通話が行われる間に前記グループ通話チャットルームに関する予め決定した少なくとも１つの機能を不活性化するステップをさらに含んでもよい。
【００２０】
また、前記アプリケーションの動作方法は、前記グループ通話に参加中であるメンバーが前記グループ通話を終了する場合、予め決定した第１通知を再生するステップと、前記グループ通話に参加していないメンバーが前記グループ通話に参加する場合、予め決定した第２通知を再生するステップと、前記グループ通話チャットルームに新しいメッセージが入力される場合、予め決定した第３通知を再生するステップと、前記グループ通話チャットルームの他のチャットルームに新しいメッセージが入力される場合、予め決定した第４通知を再生するステップと、または、前記要求信号を受信する場合、予め決定した第５通知を再生するステップのうち少なくともいずれか１つをさらに含んでもよい。
【００２１】
また、前記アプリケーションの動作方法は、前記グループ通話に参加している前記グループ通話チャットルームから退場する入力を受信することで、前記グループ通話チャットルームから退場する場合に、前記グループチャットが終了されるという警告フレーズを提供するステップをさらに含んでもよい。
【００２２】
また、前記アプリケーションの動作方法は、前記グループ通話に参加する間にアプリケーションをバックグラウンドモードで実行されるようにする入力を受信することで、前記バックグラウンドモードに関するインジケータに前記グループ通話に参加中という情報を提供するステップをさらに含んでもよい。
【００２３】
他の一実施形態に係るモバイルボイスオーバーインターネットプロトコル（ｍＶｏＩＰ）を用いて、グループ通話サービスを提供するアプリケーションの動作方法は、グループチャットルームのメンバーを対象にグループ通話のための要求信号を送信するインタフェースを提供するステップと、前記要求信号を送信する入力を受信することで、前記メンバーのうち前記グループ通話が可能なグループ通話メンバーを判断するステップと、前記メンバーと前記グループ通話メンバーが一致しない場合、前記グループ通話メンバーを含む新しいグループ通話チャットルームを開設するステップと、前記新しいグループ通話チャットルームで前記要求信号を送信するステップとを含む。
【００２４】
ここで、前記判断するステップは、前記メンバーそれぞれのアプリケーションバージョン又は前記メンバーそれぞれのグループ通話許容の有無の少なくともいずれか１つに基づいて、前記グループ通話メンバーを選別するステップを含んでもよい。
【００２５】
また、前記グループ通話チャットルームは、少なくとも３人以上のメンバーを含むチャットルームを含んでもよい。
【００２６】
また、前記他の一実施形態に係るアプリケーションの動作方法は、前記グループ通話メンバー数に基づいて予め決定した警告フレーズを提供するステップをさらに含み、前記予め決定した警告フレーズは、前記グループ通話メンバー数が予め決定した最大閾値を超過したり、予め決定した最小閾値未満である場合、前記要求信号を送信できないという警告フレーズと、前記グループ通話メンバー数が前記予め決定した最小閾値以上であり、前記予め決定した最大閾値以下であり、前記メンバー数と一致しない場合、前記新しいグループ通話チャットルームを開設するか否かを確認する警告フレーズと、前記グループ通話メンバー数が２人である場合、新しい一対一通話チャットルームを開設するか否かを確認する警告フレーズの少なくともいずれか１つを含んでもよい。
【００２７】
また、前記予め決定した警告フレーズは、前記メンバーのうち前記グループ通話が不可能なメンバーのリストと前記グループ通話が不可能なメンバーそれぞれのグループ通話不可能理由を含んでもよい。
【００２８】
また、前記他の一実施形態に係るアプリケーションの動作方法は、前記新しい一対一通話チャットルームを開設するという確認に応じて、前記２人のグループ通話メンバーを含む前記新しい一対一通話チャットルームを開設するステップと、前記新しい一対一通話チャットルームで一対一通話のための要求信号を送信するステップとをさらに含んでもよい。
【００２９】
また、前記他の一実施形態に係るアプリケーションの動作方法は、前記要求信号の送信に関する予め決定したメッセージを前記グループ通話チャットルームに入力するステップをさらに含んでもよい。
【００３０】
更なる一実施形態に係るモバイルボイスオーバーインターネットプロトコル（ｍＶｏＩＰ）を用いてグループ通話サービスを提供する移動端末は、受信部を含み、前記受信部は、グループ通話のための要求信号を受信する要求信号受信部と、前記グループ通話に参加したか否かに関わらず、前記グループ通話に対応するグループ通話チャットルームのメタ情報をサーバから受信するメタ情報受信部とを含み、前記メタ情報は、少なくとも前記グループ通話チャットルームのメンバーそれぞれのグループ通話接続状態を含む。
【００３１】
ここで、前記移動端末は、制御部及びインタフェース部をさらに含み、前記制御部は、前記要求信号の受信に応答して前記グループ通話にいま参加するかの有無又は、前記グループ通話に後で参加するかの有無が入力されるインタフェースを提供するように前記インタフェース部を制御し、前記インタフェース部を介して前記グループ通話にいま参加するとの入力を受信することで、前記グループ通話チャットルームに自動入場し、前記インタフェース部を介して前記グループ通話に後で参加するとの入力を受信することで、前記グループ通話チャットルームに自動入場せず、後で前記グループ通話チャットルームに入場する場合、前記要求信号を再受信する必要なく、前記グループ通話に参加できるインタフェースを提供するように前記インタフェース部を制御し、前記グループ通話に関する情報（前記グループ通話に関する情報は、前記グループ通話接続状態を含む）を含むインジケータを提供するように前記インタフェース部を制御する。
【図面の簡単な説明】
【００３２】
【図１Ａ】一実施形態に係るモバイルボイスオーバーインターネットプロトコル（ＭＶＯＩＰ）を用いて、グループ通話サービスを提供するアプリケーションのグループ通話受信方法を説明するための図である。
【図１Ｂ】一実施形態に係るモバイルボイスオーバーインターネットプロトコル（ＭＶＯＩＰ）を用いて、グループ通話サービスを提供するアプリケーションのグループ通話受信方法を説明するための図である。
【図２Ａ】一実施形態に係る要求信号の受信に応答して、グループ通話にいま参加するかの有無が入力されるインタフェースを説明するための図である。
【図２Ｂ】一実施形態に係る要求信号の受信に応答して、グループ通話にいま参加するかの有無が入力されるインタフェースを説明するための図である。
【図２Ｃ】一実施形態に係る要求信号の受信に応答して、グループ通話にいま参加するかの有無が入力されるインタフェースを説明するための図である。
【図３Ａ】一実施形態に係るグループ通話に関する情報を提供するインジケータを説明するための図である。
【図３Ｂ】一実施形態に係るグループ通話に関する情報を提供するインジケータを説明するための図である。
【図４Ａ】一実施形態に係る要求信号を再受信する必要なく、グループ通話に参加できるインタフェースを説明するための図である。
【図４Ｂ】一実施形態に係る要求信号を再受信する必要なく、グループ通話に参加できるインタフェースを説明するための図である。
【図５】一実施形態に係る要求信号の受信に応答して、要求信号の確認有無が入力されるインタフェースを説明するための図である。
【図６】一実施形態に係るグループ通話に関する予め決定したメッセージを説明するための図である。
【図７Ａ】一実施形態に係るバックグラウンドモードに関するインジケータを説明するための図である。
【図７Ｂ】一実施形態に係るバックグラウンドモードに関するインジケータを説明するための図である。
【図８】一実施形態に係る一実施形態に係るモバイルボイスオーバーインターネットプロトコル（ｍＶｏＩＰ）を用いて、グループ通話サービスを提供するアプリケーションのグループ通話発信方法を示した動作フローチャートである。
【図９】一実施形態に係るグループ通話のための要求信号を送信するインタフェースを説明するための図である。
【図１０Ａ】一実施形態に係るグループ通話メンバー数に基づいて提供される予め決定した警告フレーズを説明するための図である。
【図１０Ｂ】一実施形態に係るグループ通話メンバー数に基づいて提供される予め決定した警告フレーズを説明するための図である。
【図１０Ｃ】一実施形態に係るグループ通話メンバー数に基づいて提供される予め決定した警告フレーズを説明するための図である。
【図１０Ｄ】一実施形態に係るグループ通話メンバー数に基づいて提供される予め決定した警告フレーズを説明するための図である。
【図１１Ａ】一実施形態に係るグループ通話チャットルームから退場する入力が受信される場合提供される予め決定した警告フレーズを説明するための図である。
【図１１Ｂ】一実施形態に係るグループ通話チャットルームから退場する入力が受信される場合提供される予め決定した警告フレーズを説明するための図である。
【図１２】一実施形態に係るグループ通話が行われる間に不活性化される機能に関する予め決定した警告フレーズを説明するための図である。
【図１３】一実施形態に係るネットワーク以上に関する予め決定した警告フレーズを説明するための図である。
【図１４】一実施形態に係るモバイルボイスオーバーインターネットプロトコルを用いて、グループ通話サービスを提供する移動端末を示すブロック図である。
【発明を実施するための形態】
【００３３】
以下、実施形態を添付する図面を参照しながら詳細に説明する。
【００３４】
図１Ａ〜図１Ｂは、一実施形態に係るモバイルボイスオーバーインターネットプロトコル（ｍＶｏＩＰ）を用いて、グループ通話サービスを提供するアプリケーションのグループ通話受信方法を説明するための図である。
【００３５】
図１Ａを参照すると、一実施形態に係るアプリケーションは、グループ通話のための要求信号を受信する（１１０）。
【００３６】
ここで、グループ通話は、３人以上のメンバー間でｍＶｏＩＰを用いて行われる音声通話を含む。すなわち、グループ通話のための要求信号は要求発信者情報と要求受信者情報を含み、要求発信者情報は１人の要求発信者に関する情報を含み、要求受信者情報は少なくとも２人の要求受信者に関する情報を含んでもよい。
【００３７】
ただし、場合に応じて、グループ通話は２人のメンバーの間でｍＶｏＩＰを用いて行われる音声通話を含んでもよい。例えば、グループ通話は、３人以上のメンバーが含まれる場合に限って要求されるが、ひとまずグループ通話が開始された後に２人のメンバーのみがグループ通話に残っている場合にもグループ通話が保持される。
【００３８】
また、アプリケーションは、グループ通話に参加したか否かに関わらず、グループ通話に対応するグループ通話チャットルームのメタ情報をサーバから受信する（１２０）。すなわち、アプリケーションは、ユーザがグループチャットに参加する場合のみならず、グループチャットに参加しない場合にも、グループ通話チャットルームのメタ情報をサーバから受信してもよい。
【００３９】
以下、サーバは、アプリケーションと連動してｍＶｏＩＰを用いたグループ通話サービスをサポートする装置として、例えば、インスタントメッセージサーバ又はｍＶｏＩＰサーバなどを含んでもよい。
【００４０】
ここで、サーバから受信されるメタ情報は、少なくともグループ通話チャットルームのメンバーそれぞれのグループ通話接続状態を含んでもよい。他の実施形態に係るアプリケーションは、グループ通話チャットルームのメンバーのうち、自分を除いた残りのメンバーそれぞれのグループ通話接続状態を含むメタ情報をサーバから受信してもよい。
【００４１】
グループ通話接続状態は、複数のメンバーそれぞれがグループ通話に接続された状態として、例えば、接続中状態、接続状態、終了状態、及び接続不可能状態などを含んでもよい。ここで、サーバは、予め決定した時間（例えば、１分）の間に前記接続中状態が持続されれば、前記グループ通話接続状態を終了状態に変更してもよい。
【００４２】
また、アプリケーションは、要求信号の受信に応答してグループ通話にいま参加するかの有無が入力されるインタフェースを提供する（１３０）。ここで、ユーザは、グループ通話に「いま参加する」との入力又はグループ通話に「後で参加する」との入力の少なくともいずれか１つを、当該インタフェースを用いて入力する（１４０）。
【００４３】
また、アプリケーションは、グループ通話に「いま参加する」との入力を受信することで、グループ通話に対応するグループ通話チャットルームに自動入場する（１５０）。ここで、グループ通話チャットルームは、通常のインスタントメッセージグループチャットルームと類似の機能を実行しながら、追加的に、グループ通話のための機能をさらに提供するチャットルームを含む。例えば、グループ通話チャットルームは複数のメンバーを含み、複数のメンバーの間でインスタントメッセージをやり取りできるインスタントメッセンジャー機能を行って、複数のメンバーの間でｍＶｏＩＰを用いた音声通話機能をさらに提供することができる。
【００４４】
また、アプリケーションは、グループ通話チャットルームで提供されるインジケータを用いてグループ通話に関する情報を提供する（１６０）。ここで、グループ通話に関する情報は、グループ通話チャットルームのメンバーそれぞれのグループ通話接続状態を含んでもよい。ここで、グループ通話チャットルームで提供されるインジケータは、グループ通話チャットルームインタフェースの予め決定した区域（例えば、グループ通話チャットルームインタフェースの上段部）に位置してもよい。また、他の実施形態に係るインジケータは、チャットルームリストで当該グループ通話チャットルームに対応する領域のうち一部に位置してもよい。
【００４５】
一方、アプリケーションは、グループ通話に「後で参加する」との入力を受信することで、グループ通話に対応するグループ通話チャットルームに自動入場しなくてもよい（１７０）。
【００４６】
この場合、ユーザは、後で手動で当該グループ通話チャットルームに入場してもよい。例えば、グループ通話チャットルームは、チャットルームリストに自動追加されてもよい。より具体的に、アプリケーションは、グループ通話チャットルームがチャットルームリストにすでに含まれているか否かを判断し、グループ通話チャットルームがチャットルームリストに含まれていないと判断されれば、グループ通話チャットルームをチャットルームリストに追加してもよい。したがって、ユーザは、チャットルームリストで当該グループ通話チャットルームを選択することで、当該グループ通話チャットルームに手動入場してもよい。
【００４７】
また、アプリケーションは、グループ通話チャットルームに入場する場合、グループ通話のための要求信号を再受信する必要なく、グループ通話に参加できるインタフェースを提供する（１８０）。例えば、アプリケーションは、グループ通話チャットルームで提供されるインジケータを用いて、再参加ボタン（又は、再接続ボタン）を提供してもよい。ユーザが再参加ボタンを選択する場合、アプリケーションは、進行中であるグループ通話に参加できるようサーバと必要な情報を交換してもよい。
【００４８】
より具体的に、アプリケーションは、ユーザがグループ通話に参加しなくてもグループ通話チャットルームに関するメタ情報をサーバから受信してもよい。ここで、グループ通話チャットルームに関するメタ情報は、グループ通話のための要求信号に含まれた要求発信者情報及び要求受信者情報を含んでもよい。
【００４９】
したがって、アプリケーションは、グループ通話のための要求信号を受信してグループ通話がひとまず開始される場合、サーバからグループ通話の終了信号を受信する前までユーザがグループ通話に自由に参加可能にする技術を提供することができる。参考として、サーバは、グループ通話に参加中であるメンバー数に基づいてグループ通話の終了信号を送信してもよい。例えば、サーバは、グループ通話に参加中であるメンバー数が１人である場合、グループ通話の終了信号をグループ通話チャットルームのメンバー全てに送信してもよい。
【００５０】
それだけではなく、グループ通話チャットルームに関するメタ情報は、グループ通話チャットルームメンバーそれぞれのグループ通話接続状態をさらに含んでもよい。そのため、アプリケーションは、グループ通話に参加中であるか否かに関わらず、グループ通話チャットルームのメンバーそれぞれのグループ通話接続状態を提供することができる。
【００５１】
すなわち、アプリケーションは、グループ通話に参加中のときのみならず、グループ通話に参加していないときにも、グループ通話に属するメンバーそれぞれが当該グループ通話にいま参加中であるか否かに関する情報を提供する。
【００５２】
したがって、ユーザは、自分が属するグループ通話チャットルームのメンバーのうち、現在のグループ通話を行っているメンバーに関する情報が提供され、グループ通話が進行中である限りグループ通話に参加したり、グループ通話を終了してもよい。
【００５３】
ここで、グループ通話を終了することは、サーバからグループ通話の終了信号を受信することと区別される概念である。例えば、グループ通話を終了する場合、ユーザは再参加ボタンを用いて後でグループ通話に再参加できるが、サーバからグループ通話の終了信号を受信する場合、ユーザはこれ以上当該グループ通話に再参加できなくなる。
【００５４】
アプリケーションは、終了信号の受信に応答して、グループ通話チャットルームで提供されるグループ通話関連機能を不活性化させてもよい。この場合にも、グループ通話チャットルームは、通常のインスタントメッセージグループチャットルームと同一に動作する。すなわち、ユーザは、同一のメンバーを対象に新しいグループ通話のための要求信号を送信することで新しいグループ通話を開始し、新しく開始されたグループ通話に参加することができる。
【００５５】
また、グループ通話とグループ通話チャットルームとは区別される。例えば、アプリケーションは、グループ通話チャットルームに基づいてグループ通話を提供してもよい。
【００５６】
それだけではなく、グループ通話に参加したり、グループ通話を終了することは、グループ通話チャットルームに入場したり、グループ通話チャットルームから退場することと区別される。
【００５７】
グループ通話チャットルームに入場することは、文字通りに、グループ通話サービスをサポートするグループ通話チャットルームに入場する動作を含む。一方、グループ通話に参加することは、複数のメンバーの間でｍＶｏＩＰを用いた音声通話（例えば、コンファレンスコール）に参加する動作を含む。
【００５８】
同様に、グループ通話チャットルームから退場することは、文字通りに、グループ通話サービスをサポートするグループ通話チャットルームから退場する動作を含む。例えば、グループ通話チャットルームから退場する場合、アプリケーションは、グループ通話チャットルーム画面からチャットルームリスト画面に切り替えてもよい。一方、グループ通話を終了することは、複数のメンバー間でｍＶｏＩＰを用いた音声通話（例えば、コンファレンスコール）を終了する動作を含む。上述したように、グループ通話を終了する場合、グループ通話が２人以上のメンバーによって進行中のいずれかのユーザは再参加ボタンを用いてグループ通話に再参加することができる。
【００５９】
したがって、ユーザはグループ通話チャットルームに入場しながらも、グループ通話に参加しなくてもよい。
【００６０】
図１Ｂを参照すると、一実施形態に係るグループ通話を開始しようとするユーザ（以下、要求発信者という）は、グループ通話のための要求信号を送信するインタフェースを用いてグループ通話のための要求信号を送信する（１９１）。この場合、要求発信者のアプリケーションは、グループ通話の要求されたユーザ（以下、要求受信者という）のうち少なくとも１人に接続されるまで接続待機中であることを示す画面を表示する（１９２）。
【００６１】
要求受信者のアプリケーションは、要求発信者から送信された要求信号を受信することで、グループ通話にいま参加するかの有無が入力されるインタフェースを提供する（１９３）。要求受信者がグループ通話に「いま参加する」との入力をインタフェースを用いて入力する場合、要求受信者のアプリケーションは、グループ通話に対応するグループ通話チャットルームに自動入場し、グループ通話チャットルームのメンバーそれぞれのグループ通話接続状態をサーバから受信し、グループ通話チャットルームで提供されるインジケータを用いてグループ通話に関する情報を提供する（１９４）。
【００６２】
一方、要求受信者がグループ通話に「後で参加する」との入力をインタフェースを用いて入力する場合、要求受信者のアプリケーションは、グループ通話チャットルームに自動入場しなくてもよい。後で要求受信者によって手動で当該グループ通話チャットルームに入場する場合、要求受信者のアプリケーションは、グループ通話のための要求信号を再受信する必要なく、グループ通話に参加できるインタフェース（例えば、再参加ボタン又は再接続ボタン）を提供する（１９５）。
【００６３】
ここで、要求受信者のアプリケーションは、グループ通話に参加していない状態でも、グループ通話チャットルームで提供されるインジケータを用いて現在グループ通話に参加中であるメンバーが誰であるかを表示する。
【００６４】
要求受信者が再参加ボタンを選択する場合、要求受信者のアプリケーションは、グループ通話に参加するための動作を行ってもよい。要求随時者のアプリケーションはグループ通話に成功的に参加する場合、グループ通話チャットルームで提供されるインジケータを用いてグループ通話に関する情報を提供する（１９５→１９４）。
【００６５】
また、ユーザ（要求発信者又は要求受信者）がグループ通話に参加した後、終了ボタンを選択することでグループ通話を終了した場合、アプリケーションは、要求受信者のアプリケーションは、グループ通話のための要求信号を再受信する必要なく、グループ通話に参加できるインタフェース（例えば、再参加ボタン又は再接続ボタン）を提供する（１９４→１９５）。
【００６６】
したがって、一実施形態に係るアプリケーションは、前述した動作を用いてグループ通話がひとまず開始される場合、サーバからグループ通話の終了信号を受信する前までユーザがグループ通話に自由に参加したり、グループ通話を終了できるようにする技術を提供することができる。
【００６７】
図２Ａ〜図２Ｃは、一実施形態に係る要求信号の受信に応答して、グループ通話にいま参加するかの有無が入力されるインタフェースを説明するための図である。
【００６８】
図２Ａを参照すると、一実施形態に係るグループ通話にいま参加するかの有無が入力されるインタフェースは、グループ通話に「いま参加する」との入力ボタン２２０とグループ通話に「後で参加する」との入力ボタン２１０を含む。
【００６９】
また、グループ通話にいま参加するかの有無が入力されるインタフェースは、グループ通話のための要求信号を送信したメンバーに関する情報２３０をさらに含んでもよい。例えば、グループ通話にいま参加するかの有無が入力されるインタフェースは、グループ通話のための要求信号を送信したメンバーのＩＤを表示してもよい。
【００７０】
さらに、グループ通話にいま参加するかの有無が入力されるインタフェースは、グループ通話のための要求信号に対応する予め決定したメッセージ２４０をさらに含んでもよい。例えば、グループ通話のための要求信号に対応する予め決定したメッセージは「グループコールしましょう〜」を含んでもよい。
【００７１】
図２Ｂを参照すると、他の実施形態に係るグループ通話にいま参加するかの有無が入力されるインタフェースは、グループ通話のための要求信号を送信したメンバーのプロフィール写真２５０をさらに含んでもよい。そのため、要求受信者は、要求発信者をより直観的に認知することができる。
【００７２】
図２Ｃを参照すると、更なる実施形態に係るグループ通話にいま参加するかの有無が入力されるインタフェースは、グループ通話のための要求信号がともに送信されるメンバーに関する情報２７０をさらに含んでもよい。ここで、グループ通話のための要求信号をともに送信されるメンバーがまだグループ通話に参加していない場合、アプリケーションは、当該メンバーのプロフィール写真を薄く処理してもよい。
【００７３】
また、グループ通話にいま参加するかの有無が入力されるインタフェースは、自分のグループ通話接続状態２８０をさらに含んでもよい。例えば、アプリケーションは、ユーザからグループ通話にいま参加するかの有無が入力されることを待機する間に自分のグループ通話接続状態を接続待機中に表示してもよい。
【００７４】
図３Ａ〜図３Ｂは、一実施形態に係るグループ通話に関する情報を提供するインジケータを説明するための図である。
【００７５】
図３Ａを参照すると、一実施形態に係るグループ通話に関する情報は、グループ通話チャットルームのメンバーそれぞれのグループ通話接続状態３１０とグループ通話チャットルームのメンバーそれぞれのプロフィール写真３２０を含む。
【００７６】
ここで、アプリケーションは、グループ通話接続状態に応じてプロフィール写真の薄暗さ（dimness）を調整する。例えば、アプリケーションは、終了状態であるか接続中の状態であるメンバーのプロフィール写真を薄く処理してもよい。この場合、アプリケーションは、グループ通話に参加中であるメンバーのプロフィール写真を鮮明に処理してもよい。
【００７７】
他の実施形態に係るグループ通話に関する情報は、グループ通話に参加した参加時間３３０、グループ通話のためのネットワーク接続状態３４０、または、グループ通話を要求したメンバーの少なくともいずれか１つをさらに含んでもよい。アプリケーションは、サーバから受信されたメタ情報に基づいてグループ通話に関する情報を生成してもよい。
【００７８】
ここで、グループ通話に参加した参加時間３３０は、自分が当該グループ通話に参加した後の時間をカウントする。グループ通話を終了して再参加した場合、グループ通話に参加した参加時間３３０は、再参加した後の時間をカウントしてもよい。
【００７９】
また、グループ通話のためのネットワーク接続状態３４０は、太陽、雲、雨などの天気アイコンのように表示されてもよい。例えば、アプリケーションは、ネットワーク接続状態が良好な場合に太陽アイコンを表示し、ネットワーク接続状態が普通の場合に雲アイコンを表示し、ネットワーク接続状態が悪い場合に雨アイコンを表示してもよい。さらに、アプリケーションは、グループ通話中にネットワーク接続状態が変更される場合、アイコンを変更してネットワーク接続状態が変更されたことを知らせる通知音を再生してもよい。
【００８０】
また、アプリケーションは、当該メンバーのプロフィール写真に予め決定したグラフィック効果（例えば、クラウンアイコン）を付与することで、グループ通話を要求したメンバーを表示してもよい。
【００８１】
更なる実施形態に係るアプリケーションは、グループ通話チャットルームで提供されるインジケータを用いて、音声変調機能、音消去機能、または、スピーカフォン機能の少なくともいずれか１つを活性化するインタフェース３５０、グループ通話を終了するインタフェース３６０、または、インジケータを折り畳むインタフェース３７０の少なくともいずれか１つをさらに提供してもよい。
【００８２】
アプリケーションは、音声変調機能が活性化する場合、ユーザの声を活性化した音声変調機能により変調して送信してもよい。また、アプリケーションは、音消去機能が活性化される場合、ユーザの声が相手方に送信されないようにするスピーカフォン機能が活性化される場合、対話内容が周辺の人の皆に聞けるように相手方の声をスピーカを通じて再生してもよい。
【００８３】
また、アプリケーションは、グループ通話を終了する入力を受信する場合、グループ通話を終了して当該グループ通話に再参加できるインタフェースを提供してもよい。
【００８４】
また、アプリケーションは、インジケータを折り畳む入力を受信する場合、グループ通話に関する情報のみを表示するよう当該インジケータを縮小してもよい。
【００８５】
例えば、図３Ｂを参照すると、アプリケーションは、インジケータを折り畳む入力を受信することで、グループ通話チャットルームのメンバーそれぞれのグループ通話接続状態、グループ通話チャットルームのメンバーそれぞれのプロフィール写真、グループ通話に参加した参加時間、グループ通話のためのネットワーク接続状態、及びグループ通話を要求したメンバーのみを表示し、音声変調機能、音消去機能、または、スピーカフォン機能の少なくともいずれか１つを活性化するインタフェース、グループ通話を終了するインタフェース、及びインジケータを折り畳むインタフェースを表示しなくてもよい。
【００８６】
ここで、アプリケーションは、インジケータを開くインタフェース３８０をさらに提供してもよい。アプリケーションは、インジケータを開く入力を受信する場合、再び音声変調機能、音消去機能、または、スピーカフォン機能の少なくともいずれか１つを活性化するインタフェース、グループ通話を終了するインタフェース、及びインジケータを折り畳むインタフェースなどを表示してもよい。
【００８７】
図４Ａ〜図４Ｂは、一実施形態に係る要求信号を再受信する必要なく、グループ通話に参加できるインタフェースを説明するための図である。
【００８８】
図４Ａを参照すると、一実施形態に係る要求信号を再受信する必要なく、グループ通話に参加できるインタフェースは、再参加ボタン又は再接続ボタン４１０を含む。
【００８９】
この場合、アプリケーションは、グループ通話チャットルームで提供されるインジケータを用いて、グループ通話接続状態を含むグループ通話に関する情報４２０をともに提供してもよい。
【００９０】
図４Ｂを参照すると、他の実施形態に係るアプリケーションは、グループ通話チャットルームで提供されるインジケータを用いて自分の接続状態４３０をさらに提供する。
【００９１】
図５は、一実施形態に係る要求信号の受信に応答して要求信号の確認有無が入力されるインタフェースを説明するための図である。
【００９２】
図５を参照すると、一実施形態に係るアプリケーションは、グループ通話のための要求信号の受信に応答して、要求信号の確認有無が入力されるインタフェースを提供する（５１０）。
【００９３】
この場合、要求信号を確認するとの入力を受信することで、アプリケーションは、グループ通話に対応するグループ通話チャットルームに入場する。アプリケーションは、当該グループ通話チャットルームで提供されるインジケータを用いて、グループ通話にいま参加するかの有無が入力されるインタフェースを提供する（５２０）。
【００９４】
アプリケーションの以後の動作には、図１〜図４Ｂを参照して記述された事項がそのまま適用されているため、より詳しい説明は省略する。すなわち、グループ通話に「いま参加する」との入力を受信する場合、アプリケーションは当該グループ通話に関する情報などを表示する（５３０）。一方、グループ通話に「後で参加する」との入力を受信する場合、アプリケーションは要求信号を再受信する必要なく、グループ通話に参加できるインタフェースを提供する（５４０）。
【００９５】
図６は、一実施形態に係るグループ通話に関する予め決定したメッセージを説明するための図である。
【００９６】
図６を参照すると、一実施形態に係るアプリケーションは、グループ通話に関する動作が行われることで、予め決定したメッセージを当該グループ通話に対応するグループ通話チャットルームに入力する。ここで、アプリケーションは、それぞれのメッセージをユーザが直接メッセージを入力した場合と同一又は類似形態（例えば、吹き出し形態）に表示してもよい。
【００９７】
例えば、アプリケーションは、グループ通話のための要求信号を送信する場合、「グループコールしましょう〜」のメッセージ６１０をグループ通話チャットルームに入力してもよい。また、アプリケーションは、要求受信者から応答がない場合、「応答がありません」というメッセージ６２０をグループ通話チャットルームに入力してもよい。
【００９８】
アプリケーションはグループ通話のための要求信号を送信した後、グループ通話が開始される前にグループ通話を取り消す入力を受信する場合、「取消します」というメッセージ６３０をグループ通話チャットルームに入力してもよい。さらに、アプリケーションは、グループ通話が開始された後グループ通話を終了する入力を受信する場合、「終了します」というメッセージ６４０をグループ通話チャットルームに入力してもよい。ここで、アプリケーションは、グループ通話に参加した参加時間を表示するメッセージ６５０をグループ通話チャットルームに入力してもよい。
【００９９】
一方、図面に表示していないが、他の実施形態に係るアプリケーションは、グループ通話に関して発生する様々な場合に対応する予め決定した通知を再生してもよい。ここで、予め決定した通知は、効果音、ベルの音、振動、ＬＥＤランプ、または、ディスプレイのグラフィック効果の少なくとも１つを含んでもよい。
【０１００】
例えば、アプリケーションは、グループ通話に参加中であるメンバーがグループ通話を終了する場合、予め決定した第１通知（例えば、チリン）を再生してもよい。または、アプリケーションは、グループ通話に参加していないメンバーがグループ通話に参加する場合、予め決定した第２通知（例えば、ガン）を再生してもよい。アプリケーションは、グループ通話チャットルームに新しいメッセージが入力される場合、予め決定した第３通知（例えば、トーク）を再生してもよく、グループ通話チャットルームの他のチャットルームに新しいメッセージが入力される場合、予め決定した第４通知（例えば、アプリケーションの基本セッティングによる通知）を再生してもよい。アプリケーションは、グループ通話のための要求信号を受信する場合、予め決定した第５通知（例えば、呼び出し音又は振動など）を再生してもよい。
【０１０１】
すなわち、アプリケーションは、グループ通話と関連して発生する様々な場合ごとに異なる通知を再生することで、ユーザが再生した通知だけで発生した状況をより容易に認知できる技術を提供することができる。
【０１０２】
図７Ａ〜図７Ｂは、一実施形態に係るバックグラウンドモードに関するインジケータを説明するための図である。
【０１０３】
図７Ａを参照すると、一実施形態に係るアプリケーションは、グループ通話に参加する間にアプリケーションをバックグラウンドモードで実行されるようにする入力を受信してもよい。
【０１０４】
例えば、アプリケーションを用いてグループ通話に参加する間にアプリケーションがインストールされた移動端末のホームボタン入力が受信される場合、アプリケーションは、バックグラウンドモードで実行されるようにする入力として認知する。
【０１０５】
この場合、アプリケーションは、バックグラウンドモードに関するインジケータ７１０にグループ通話に参加中という情報を提供する。図７Ｂを参照すると、他の実施形態に係るアプリケーションは、バックグラウンドモードに関する通知ウィンドウ７２０にグループ通話に参加中という情報を提供する。
【０１０６】
図８は、一実施形態に係る一実施形態に係るモバイルボイスオーバーインターネットプロトコル（ｍＶｏＩＰ）を用いて、グループ通話サービスを提供するアプリケーションのグループ通話発信方法を示した動作フローチャートである。
【０１０７】
図８を参照すると、一実施形態に係るアプリケーションは、グループチャットルームのメンバーを対象にグループ通話のための要求信号を送信するインタフェースを提供する（８１０）。
【０１０８】
例えば、図９を参照すると、アプリケーションは、グループチャットルームのメンバーを対象にグループ通話のための要求信号を送信するグループコール要求ボタン９１０を提供してもよい。
【０１０９】
ここで、グループチャットルームは、少なくとも３人以上のメンバーを含むチャットルームを含んでもよい。すなわち、アプリケーションは、３人以上のメンバーが含まれたチャットルームに限ってグループ通話のための要求信号を送信するインタフェースを提供する。
【０１１０】
また、アプリケーションは、グループ通話のための要求信号を送信する入力を受信することで、グループチャットルームのメンバーのうちグループ通話が可能なグループ通話メンバーを判断する（８２０）。
【０１１１】
ここで、アプリケーションは、グループチャットルームのメンバーそれぞれのアプリケーションバージョンに基づいて、グループ通話が可能なグループ通話メンバーを判断する。例えば、アプリケーションはグループ通話をサポートするアプリケーションバージョンよりも低いバージョンのアプリケーションがインストールされた端末のメンバーをグループ通話のできないメンバーとして選別してもよい。
【０１１２】
さらに、アプリケーションは、グループチャットルームのメンバーそれぞれのグループ通話許容の有無に基づいて、グループ通話が可能なグループ通話メンバーを判断する。例えば、アプリケーションは、グループ通話を不活性化させたメンバーをグループ通話のできないメンバーとして選別してもよい。
【０１１３】
また、アプリケーションは、グループチャットルームのメンバーとグループ通話が可能なグループ通話メンバーが一致しない場合、グループ通話メンバーを含む新しいグループ通話チャットルームを開設する（８３０）。
【０１１４】
ここで、アプリケーションは、グループ通話メンバーを含む新しいグループ通話チャットルームを開設するか否かに対する警告フレーズをユーザに提供してもよい。これに関するより詳細な事項は、図１０Ａ〜図１０Ｄを参照して後述する。
【０１１５】
最後に、アプリケーションは、新しいグループ通話チャットルームでグループ通話のための要求信号を送信する（８４０）。
【０１１６】
図１０Ａ〜図１０Ｄは、一実施形態に係るグループ通話メンバー数に基づいて提供される予め決定した警告フレーズを説明するための図である。
【０１１７】
一実施形態に係るアプリケーションは、グループ通話が可能なグループ通話メンバー数に基づいて予め決定した警告フレーズをユーザに提供する。
【０１１８】
より具体的に、アプリケーションは、グループ通話のための要求信号を送信するインタフェース１０１０が選択される入力を受信することで、グループチャットルームのメンバーのうち、グループ通話が可能なグループ通話メンバーを判断してもよい。ここで、アプリケーションは、グループ通話が可能であると判断されたグループ通話メンバー数に基づいて、予め決定した警告フレーズをユーザに提供してもよい。以下、グループチャットルームのメンバー数及びグループ通話メンバー数は、要求発信者自分を含んで算出される。
【０１１９】
例えば、図１０Ａを参照すると、アプリケーションは、グループ通話メンバー数が予め決定した最大閾値（例えば、５人）を超過する場合、グループ通話のための要求信号を送信できないという警告フレーズ１０２０をユーザに提供する。
【０１２０】
また、図１０Ｂを参照すると、アプリケーションは、グループ通話メンバー数が予め決定した最小閾値（例えば、３人）以上であり、予め決定した最大閾値（例えば、５人）以下であり、グループチャットルームのメンバー数と一致しない場合、新しいグループ通話チャットルームを開設するか否かを確認する警告フレーズ１０３０をユーザに提供する。この場合、アプリケーションは、新しいグループ通話チャットルームを開設するという確認により、該当するグループ通話メンバーを含む新しいグループ通話チャットルームを開設し、新しく開設されたグループ通話チャットルームでグループ通話のための要求信号を送信してもよい。
【０１２１】
また、図１０Ｃを参照すると、アプリケーションは、グループ通話メンバー数が予め決定した最小閾値（例えば、２人）未満である場合、グループ通話のための要求信号を送信できないという警告フレーズ１０４０をユーザに提供する。
【０１２２】
また、図１０Ｄを参照すると、アプリケーションはグループ通話メンバー数が２人である場合、新しい一対一通話チャットルームを開設するか否かを確認する警告フレーズ１０４０をユーザに提供する。この場合、アプリケーションは、新しい一対一通話チャットルームを開設するという確認により、該当する２人のグループ通話メンバーを含む新しい一対一通話チャットルームを開設し、新しく開設された一対一通話チャットルームで一対一通話のための要求信号を送信してもよい。
【０１２３】
ここで、前述したそれぞれの予め決定した警告フレーズは、グループチャットルームのメンバーのうち、グループ通話が不可能なメンバーのリストと当該グループ通話が不可能なメンバーそれぞれのグループ通話不可能な理由を含んでもよい。
【０１２４】
図１１Ａ〜図１１Ｂは、一実施形態に係るグループ通話チャットルームから退場する入力が受信される場合に提供される予め決定した警告フレーズを説明するための図である。
【０１２５】
図１１Ａを参照すると、一実施形態に係るアプリケーションは、グループ通話に参加する間（又は、接続する途中）にグループ通話チャットルームから退場する入力１１１０を受信することで、グループ通話チャットルームから退場する場合、グループチャットに参加（又は、接続）できないという警告フレーズ１１２０をユーザに提供する。
【０１２６】
この場合、アプリケーションは、グループ通話チャットルームから退場するとの確認により、当該グループチャットに参加する動作を中断してもよい。
【０１２７】
また、図１１Ｂを参照すると、アプリケーションは、グループ通話に参加する間にグループ通話チャットルームから退場する入力１１１０を受信することで、グループ通話チャットルームから退場する場合、グループチャットが終了するという警告フレーズ１１３０をユーザに提供する。
【０１２８】
この場合、アプリケーションは、グループ通話チャットルームから退場するとの確認により、当該グループチャットを終了する。
【０１２９】
図１２は、一実施形態に係るグループ通話が行われる間に不活性化される機能に関する予め決定した警告フレーズを説明するための図である。
【０１３０】
図１２を参照すると、一実施形態に係るアプリケーションは、グループ通話が行われる間にグループ通話チャットルームに関する予め決定した少なくとも１つの機能を不活性化してもよい。
【０１３１】
ここで、グループ通話が行われている場合は、本人がグループ通話に参加中でなくても、グループ通話チャットルームのメンバーのうち少なくとも２人のメンバーがグループ通話に参加中である場合を含んでもよい。
【０１３２】
例えば、アプリケーションは、グループ通話が進行中のグループ通話チャットルームに新しいメンバーを招待する機能を不活性化してもよい。この場合、アプリケーションは、グループ通話チャットルームの設定メニューを不活性化することで、グループ通話チャットルームに新しいメンバーを招待する機能を不活性化してもよい。
【０１３３】
また、アプリケーションは、グループ通話が進行中グループ通話チャットルームのミニプロフィール機能、顔文字ストア機能、プレゼントする機能、音声再生機能、または、動画再生機能の少なくとも１つの機能を不活性化してもよい。この場合、アプリケーションは、ミニプロフィール機能に対応するインタフェース１２１０、顔文字ストア機能に対応するインタフェース１２２０、プレゼントする機能に対応するインタフェース１２３０、または、音声再生機能や動画材上機能に対応するインタフェース１２４０のいずれか１つが選択される場合、当該機能を使用できないという警告フレーズ１２５０をユーザに提供する。
【０１３４】
図１３は、一実施形態に係るネットワーク以上に関する予め決定した警告フレーズを説明するための図である。
【０１３５】
図１３を参照すると、一実施形態に係るアプリケーションは、グループ通話に「いま参加する」との入力１３１０を受信したものの、ネットワーク異常によりグループ通話にいま参加できない場合、ネットワーク以上を知らせる警告フレーズ１３２０をユーザに提供する。
【０１３６】
図１４は、一実施形態に係るモバイルボイスオーバーインターネットプロトコルを用いてグループ通話サービスを提供する移動端末を示すブロック図である。
【０１３７】
図１４を参照すると、一実施形態に係る移動端末１４００は、受信部１４１０を含む。ここには図示していないが、受信部１４１０は、要求信号受信部とメタ情報受信部を含んでもよい。
【０１３８】
要求信号受信部は、グループ通話のための要求信号を受信してもよく、メタ情報受信部はグループ通話に参加したか否かに関わらず、グループ通話に対応するグループ通話チャットルームのメタ情報をサーバから受信してもよい。ここで、メタ情報は、少なくともグループ通話チャットルームのメンバーそれぞれのグループ通話接続状態を含んでもよい。
【０１３９】
また、移動端末１４００は、制御部１４２０及びインタフェース部１４３０をさらに含む。
【０１４０】
インタフェース部１４３０は、移動端末１４００の利用者に入力インタフェース又は出力インタフェースを提供するモジュールとして、例えば、ディスプレイ、キーパッド、タッチスクリーンなどを含んでもよい。
【０１４１】
制御部１４２０は、受信部１４１０によって受信された情報に基づいてインタフェース部１４３０を制御することで、グループ通話サービスを提供するための動作を行う。
【０１４２】
例えば、制御部１４２０は、受信部１４１０による要求信号の受信に応答してグループ通話にいま参加するかの有無、又はグループ通話に後で参加するかの有無が入力されるインタフェースを提供するよう、インタフェース部１４３０を制御してもよい。
【０１４３】
インタフェース部１４３０を用いてグループ通話に「いま参加する」との入力を受信することで、制御部１４２０はグループ通話チャットルームに自動入場することができる。
【０１４４】
一方、インタフェース部１４３０を用いてグループ通話に「後で参加する」との入力を受信することで、制御部１４２０は、グループ通話チャットルームに自動入場しなくてもよい。この場合、後でグループ通話チャットルームに入場すれば、制御部１４２０は要求信号を再受信する必要なく、グループ通話に参加できるインタフェースを提供するようにインタフェース部１４３０を制御することができる。
【０１４５】
また、制御部１４２０は、グループ通話に関する情報を含むインジケータを提供するようにインタフェース部１４３０を制御してもよい。ここで、グループ通話に関する情報は、グループ通話チャットルームのメンバーそれぞれのグループ通話接続状態を含んでもよい。
【０１４６】
図１４に示された各モジュールには、図１〜図１３を参照して記述された事項がそのまま適用されているため、より詳細な説明は省略する。
【０１４７】
以上で説明された装置は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうち１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例には、コンパイラによって作られるような機械語コードだけでなく、インタープリタなどを用いてコンピュータによって実行できる高級言語コードが含まれる。前記したハードウェア装置は、本発明の動作を行うために１つ以上のソフトウェアモジュールとして作動するように構成されてもよく、その逆も同様である。
【０１４８】
上述したように、本発明を限定された実施形態と図面を参照して説明したが、本発明は、前記の実施形態に限定されることなく、本発明が属する分野における通常の知識を有する者であれば、このような実施形態から多様な修正及び変形が可能である。
【０１４９】
したがって、本発明の範囲は、開示された実施形態に限定されるものではなく、特許請求の範囲だけではなく特許請求の範囲と均等なものなどによって定められるものである。
【図１Ａ】
2015536607.tif 000003
【図１Ｂ】
2015536607.tif 000004
【図２Ａ】
2015536607.tif 000005
【図２Ｂ】
2015536607.tif 000006
【図２Ｃ】
2015536607.tif 000007
【図３Ａ】
2015536607.tif 000008
【図３Ｂ】
2015536607.tif 000009
【図４Ａ】
2015536607.tif 000010
【図４Ｂ】
2015536607.tif 000011
【図５】
2015536607.tif 000012
【図６】
2015536607.tif 000013
【図７Ａ】
2015536607.tif 000014
【図７Ｂ】
2015536607.tif 000015
【図８】
2015536607.tif 000016
【図９】
2015536607.tif 000017
【図１０Ａ】
2015536607.tif 000018
【図１０Ｂ】
2015536607.tif 000019
【図１０Ｃ】
2015536607.tif 000020
【図１０Ｄ】
2015536607.tif 000021
【図１１Ａ】
2015536607.tif 000022
【図１１Ｂ】
2015536607.tif 000023
【図１２】
2015536607.tif 000024
【図１３】
2015536607.tif 000025
【図１４】
2015536607.tif 000026
【国際調査報告】
2015536607.tif 000027
2015536607.tif 000028
2015536607.tif 000029
2015536607.tif 000030